(57)【要約】【課題】異種網通信装置において、収容するアナログ電話機がＩＰ通信中に公衆アナログ電話網から発信者情報を着信した場合に、発信元を認識できるようにする。【解決手段】本発明の異種網通信装置は、第１の通信網回線と第２の通信網回線とに接続可能であり、収容するアナログ電話機と、第１の通信網回線又は第２の通信網回線との間の通信制御をする異種網通信装置において、第１の通信網回線から到来した発信者情報を検出する発信者情報検出手段と、収容するアナログ電話機の通信状態を監視する通信状態監視手段と、発信者情報検出手段による発信者情報の検出時に、アナログ電話機と第２の通信網回線との間で通信中であると通信状態監視手段が判定した場合に、発信者情報に応じたパターンからなるトーン信号を、アナログ電話機に送出するトーン信号送出手段とを備えることを特徴とする。【選択図】      図１
2005277455.tif 000002
【特許請求の範囲】
【請求項１】
第１の通信網回線と第２の通信網回線とに接続可能であり、収容するアナログ電話機と、上記第１の通信網回線又は上記第２の通信網回線との間の通信制御をする異種網通信装置において、
上記第１の通信網回線から到来した発信者情報を検出する発信者情報検出手段と、
収容する上記アナログ電話機の通信状態を監視する通信状態監視手段と、
上記発信者情報検出手段による上記発信者情報の検出時に、上記アナログ電話機と上記第２の通信網回線との間で通信中であると上記通信状態監視手段が判定した場合に、上記発信者情報に応じたパターンからなるトーン信号を、上記アナログ電話機に送出するトーン信号送出手段と
を備えることを特徴とする異種網通信装置。
【請求項２】
上記アナログ電話機からの登録要求により、受け取った１又は複数の登録発信者情報と、それぞれ送出するトーン信号のパターンが異なる複数のトーンパターン情報とを対応付けて記憶する登録発信者情報記憶手段を備えることを特徴とする請求項１に記載の異種網通信装置。
【請求項３】
上記トーン信号送出手段が、
上記発信者情報検出手段が検出した上記発信者情報に対応するトーンパターン情報を、上記登録発信者情報記憶手段から抽出するトーンパターン情報抽出部と、
上記トーンパターン情報抽出部が抽出した上記トーンパターン情報に基づいて生成したトーン信号を上記アナログ電話機に送出するトーン信号送出部と
を有することを特徴とする請求項２に記載の異種網通信装置。
【請求項４】
上記登録発信者情報記憶手段が、上記登録要求を受けた上記発信者情報と対応付けしない標準トーンパターン情報を有すること特徴とする請求項２又は３に記載の異種網通信装置。
【請求項５】
第１の通信網回線と第２の通信網回線とに接続可能であり、収容するアナログ電話機と、上記第１の通信網回線又は上記第２の通信網回線との間の通信制御をする異種網通信装置に、
上記第１の通信網回線から到来した発信者情報を検出する発信者情報検出機能と、
収容する上記アナログ電話機の通信状態を監視する通信状態監視機能と、
上記発信者情報検出機能による上記発信者情報の検出時に、上記アナログ電話機と上記第２の通信網回線との間で通信中であると上記通信状態監視機能が判定した場合に、上記発信者情報に応じたパターンからなるトーン信号を、上記アナログ電話機に送出するトーン信号送出機能と
を実現させることを特徴とする発信元認識プログラム。
【請求項６】
上記アナログ電話機からの登録要求により、受け取った１又は複数の登録発信者情報と、それぞれ送出するトーン信号のパターンが異なる複数のトーンパターン情報とを対応付けて記憶する登録発信者情報記憶機能を備えることを特徴とする請求項５に記載の発信元認識プログラム。
【請求項７】
上記トーン信号送出機能が、
上記発信者情報検出機能が検出した上記発信者情報に対応するトーンパターン情報を、上記登録発信者情報記憶機能から抽出するトーンパターン情報抽出機能と、
上記トーンパターン情報抽出機能が抽出した上記トーンパターン情報に基づいて生成したトーン信号を上記アナログ電話機に送出するトーン信号送出機能と
を有することを特徴とする請求項６に記載の発信元認識プログラム。
【請求項８】
上記登録発信者情報記憶機能が、上記登録要求を受けた上記発信者情報と対応付けしない標準トーンパターン情報を有すること特徴とする請求項６又は７に記載の発信元認識プログラム。
【請求項９】
第１の通信網回線と第２の通信網回線とに接続可能であり、収容するアナログ電話機と、上記第１の通信網回線又は上記第２の通信網回線との間の通信制御をする異種網通信装置に、実現させるための請求項５〜８のいずれかに記載のプログラムを記録した、上記異種網通信装置に読み取り可能な記録媒体。
【発明の詳細な説明】
【技術分野】
【０００１】
本発明は、異種網通信装置、発信元認識プログラム及び記録媒体に関し、例えば、異なる通信回線に接続可能であり、アナログ電話機を収容する異種網通信装置、異種網通信装置が実行するプログラム、及びプログラムを記録したコンピュータに読み取り可能な記録媒体に適用し得る。
【背景技術】
【０００２】
昨今、例えば公衆ＩＰ（Ｉｎｔｅｒｎｅｔ  Ｐｒｏｔｏｃｏｌ）通信網を用いたテレフォニーシステムとして、ＶｏＩＰ（Ｖｏｉｃｅ  Ｏｖｅｒ  ＩＰ）通信が注目されている。
【０００３】
このＶｏＩＰ通信は、従来の公衆電話網を用いた音声通話、ＦＡＸ通信、モデム通信等をしていた情報をパケット化し、ＩＰ通信網を用いて中継することで、通信システムを統合することができる。
【０００４】
このような通信システムを統合させる異種網通信装置に関する技術が、特許文献１に開示されている。
【０００５】
従来、公衆アナログ電話網と公衆ＩＰ電話網とに接続可能であり、アナログ電話機を収容する異種網通信装置は、公衆アナログ電話網と公衆ＩＰ電話網との接続を切り替えるスイッチを実装しており、アナログ電話機の通話形態に応じて、スイッチを切り替えることにより、公衆アナログ電話網又は公衆ＩＰ電話網と電話機との間の通話を実現している。
【０００６】
また、上述したような異種網通信装置を導入するにあたり、従来の電話システムで運用されているサービスを適切に移行できることが望まれている。このサービスとして、例えば、ナンバーディスプレイサービス、キャッチホン・ナンバーディスプレイサービス、Ｌモード（登録商標）サービスなどがある。このナンバーディスプレイサービスは、公衆アナログ電話網の契約者回線に着信があった場合、交換機が、発信元ダイヤル情報を契約者の情報受信端末に送出し、発信元ダイヤル情報を表示させるサービスである。
【０００７】
ところで、このナンバーディスプレイサービスの提供を受けるアナログ電話機が、上述した異種網通信装置を導入することで、公衆アナログ電話網からのナンバーディスプレイサービスの提供を受けることができ、また公衆ＩＰ電話網を使用してＩＰ通話も可能となる。
【０００８】
しかし、ＩＰ通話中に、公衆アナログ電話網から発信元ダイヤル情報の着信があったとき、従来の異種網通信装置は、アナログ電話機にトーン信号を送出し、通話者に着信があったことを可聴音により知らせていた。
【０００９】
この場合の異種網通信装置の動作について、図２の動作説明図を参照して説明する。なお、異種網通信装置の動作は、中央制御装置１５がプログラムを実行することで実現され、図２は、中央制御装置１５が実行する機能ブロックを示す。
【００１０】
図２において、中央制御装置１５は、呼制御ブロック２２、アナログ電話インターフェース回線制御ブロック２３、加入電話インタフェース回線制御ブロック２４、ＩＰ電話インタフェース回線制御ブロック２５、トーン・パス制御ブロック２７、保守・運用ブロック２６のソフトブロックを有し、これら各ソフトブロックに起動を要求するＯＳ（オペレーションシステム）ブロック２１を備える。
【００１１】
また、図２において、アナログ電話機２と公衆ＩＰ電話網４との間で通話中であり、公衆アナログ電話網から発信元ダイヤル情報が着信した場合、異種網通信装置の加入者電話インタフェース回路１２が、公衆アナログ電話網３の状態（極性反転、発信元ダイヤル情報の着信、呼出信号）を検出する（Ｓ１）。
【００１２】
発信元ダイヤル情報が検出されると、着信通知が、加入電話インタフェース回線制御ブロック２４を介して呼制御ブロック２２に通知され（Ｓ２）、また、発信元ダイヤル情報が、異種網通信装置が有するメモリ上のデータエリアの発信元ダイヤル情報３２に蓄積される（Ｓ３）。
【００１３】
呼制御ブロック２２に着信通知が通知されると、呼制御ブロック２２によりＩＰ通話中であることが判定されて、「ＩＰ通話中の着信」を示すメッセージが、トーン・パス制御ブロック２７に通知される（Ｓ４）。
【００１４】
メッセージの通知を受けて、トーン・パス制御ブロック２７は、データエリアに予め設定されているトーンパターンを読み出し（Ｓ５）、１００ｍｓ毎に１ｂｉｔずつ確認しながら、トーン送出回路１８にトーン送出指示（トーン送出回路18にパスを接続する指示）・トーン停止指示（通話相手にパスを接続させる指示）を行う（Ｓ６）。
【００１５】
これにより、スイッチ１４を公衆網ＩＰ電話網４から公衆アナログ電話網３に切り替え（Ｓ７）、トーン信号をアナログ電話機２に通知することができる。
【特許文献１】特開２００３−２５８９８６号公報
【発明の開示】
【発明が解決しようとする課題】
【００１６】
上述したように、従来の異種網通信装置は、アナログ電話機２がＩＰ通話中である場合に、トーン信号を送出することで、通話者に着信を通知することとしているが、通話者にとっては、その可聴音だけでは、着信があったことは分かるが、発信者が誰であるのか分からない。
【００１７】
従って、通話者は、発信者が誰であるかを認識するために、一度フッキング操作などにより通話先を切り替える必要があった。
【００１８】
また、上述した従来の異種網通信装置は、着信した発信元ダイヤル情報を蓄積するが（図２のＳ３参照）、トーン信号をアナログ電話機２に送出する場合、その蓄積された発信元ダイヤル情報の利用がなされていない。
【００１９】
そのため、ＩＰ通話中に、ナンバーディスプレイ情報等の情報着信があった場合に、アナログ電話機の通話者が、通話先切り替えを行わずに容易に発信者を認識することができる異種網通信装置、発信元認識プログラム及び記録媒体が求められている。
【課題を解決するための手段】
【００２０】
かかる課題を解決するために、第１の本発明に係る異種網通信装置は、第１の通信網回線と第２の通信網回線とに接続可能であり、収容するアナログ電話機と、第１の通信網回線又は第２の通信網回線との間の通信制御をする異種網通信装置において、第１の通信網回線から到来した発信者情報を検出する発信者情報検出手段と、収容するアナログ電話機の通信状態を監視する通信状態監視手段と、発信者情報検出手段による発信者情報の検出時に、アナログ電話機と第２の通信網回線との間で通信中であると通信状態監視手段が判定した場合に、発信者情報に応じたパターンからなるトーン信号を、アナログ電話機に送出するトーン信号送出手段とを備えることを特徴とする。
【００２１】
第２の本発明に係る発信元認識プログラムは、第１の通信網回線と第２の通信網回線とに接続可能であり、収容するアナログ電話機と、第１の通信網回線又は第２の通信網回線との間の通信制御をする異種網通信装置に、第１の通信網回線から到来した発信者情報を検出する発信者情報検出機能と、収容するアナログ電話機の通信状態を監視する通信状態監視機能と、発信者情報検出機能による発信者情報の検出時に、アナログ電話機と第２の通信網回線との間で通信中であると通信状態監視機能が判定した場合に、発信者情報に応じたパターンからなるトーン信号を、アナログ電話機に送出するトーン信号送出機能とを実現させることを特徴とする。
【００２２】
第３の本発明に係る記録媒体は、第２の本発明の発信元認識プログラムを記録した異種網通信装置に読み取り可能な記憶媒体である。
【発明の効果】
【００２３】
本発明によれば、収容するアナログ電話機が第２の通信網回線と通信中に、第１の通信網回線から発信者情報の着信があった場合であっても、その発信者情報に応じたトーンパターンのトーン信号をアナログ電話機に送出できるので、通話者にその発信元を認識させることができる。
【発明を実施するための最良の形態】
【００２４】
以下、本発明の異種網通信装置を実施するための最良の形態について図面を参照して説明する。
【００２５】
（Ａ）実施形態
以下、本発明の異種網通信装置の実施形態について図面を参照して説明する。
【００２６】
本実施形態は、本発明の異種網通信装置を、電話機公衆アナログ電話網と公衆ＩＰ電話網とに接続可能であり、アナログ電話機を収容する通信アダプタ装置に適用した場合について説明する。
【００２７】
また、本実施形態では、アナログ電話機がＩＰ通話中である場合に、公衆アナログ電話網からナンバーディスプレイ情報（発信元ダイヤル情報）の着信があった場合の適用について説明する。
【００２８】
（Ａ−１）実施形態の構成
図３は、本実施形態の通信アダプタ装置の内部構成を示すハードウェア・ブロック図である。
【００２９】
図３において、通信アダプタ装置１は、公衆アナログ電話網３と公衆ＩＰ電話網４に接続可能であり、アナログ電話機２を収容している。
【００３０】
また、図３に示すように、通信アダプタ装置１は、アナログ電話インタフェース回路部１１、加入電話インタフェース回路１２、ＩＰ電話インタフェース回路１３、スイッチ１４、中央処理演算装置（ＣＰＵ）１５、メモリ１６、トーン送出回路１８を備える。
【００３１】
アナログ電話インタフェース回路部１１、加入電話インタフェース回路１２、ＩＰ電話インタフェース回路１３及びトーン送出回路１８と接続するスイッチ１４と、中央処理演算装置（ＣＰＵ）１５と、メモリ１６とは、データバス１７を介して接続している。
【００３２】
中央処理演算装置１５は、通信アダプタ装置１の機能を制御するものである。中央処理演算装置１５は、呼制御機能、スイッチ切替制御機能、アナログ電話機２の通話状態判定機能、アナログ電話機２がＩＰ通話中に発信元ダイヤル情報の着信があった場合に、登録ダイヤル情報から発信元ダイヤル情報の検索機能、トーンパターン抽出機能、トーン送出機能などを有する。
【００３３】
メモリ１６は、中央処理演算装置１５が実行するプログラムの格納や、データの蓄積などをする記憶装置である。メモリ１６が記憶しているプログラムを中央処理演算装置１５が読み取ることで、所定機能が実行される。
【００３４】
アナログ電話インタフェース回路１１は、アナログ電話機２とのインタフェース部である。
【００３５】
加入電話インタフェース回路１２は、公衆アナログ電話網３とのインタフェース部である。加入電話インタフェース回路１２は、公衆アナログ電話網３から着信を定期的に又は常時監視しており、公衆アナログ電話網３から着信があった場合、中央処理演算装置１５の制御により、公衆アナログ電話網３と所定の通信接続処理を実行するものである。
【００３６】
また、加入電話インターフェース回路１２は、着信した発信元ダイヤル情報を、データバス１７を介してメモリ１６に与えて蓄積させるものである。
【００３７】
ＩＰ電話インタフェース回路１３は、公衆ＩＰ電話網４とのインタフェース部である。ＩＰ電話インタフェース回路１２は、公衆ＩＰ電話網４から着信があった場合、中央処理演算装置１５の制御により、公衆ＩＰ電話網４と所定の通信接続処理を実行するものである。
【００３８】
スイッチ１４は、中央処理演算装置１５に制御により切り替えるスイッチであり、アナログ電話インタフェース回路１１と、加入電話インタフェース回路１２又はＩＰ電話インタフェース回路１３との間を接続されるものである。また、スイッチ１４は、中央処理演算装置１５の制御により、アナログ電話インタフェース回路１１とトーン送出回路１８との間を接続し、アナログ電話機２に対し通信アダプタ装置１の状態をトーン信号で知らせることを可能とするものである。
【００３９】
トーン送出回路１８は、中央処理演算装置１５の制御により、所定周波数のトーン信号（例えば４００Ｈｚトーン信号）を、スイッチ１４を介してアナログ電話機２に与えるものである。
【００４０】
次に、中央処理演算装置１５により実行される通信アダプタ装置１の機能について、図１のソフトウェア・ブロックを参照して説明する。
【００４１】
図１に示すソフトウェア・ブロックは、ＯＳブロック２１、呼制御ブロック２２、アナログ電話インタフェース回路制御ブロック２３、加入電話インタフェース回路制御ブロック２４、ＩＰ電話インタフェース回路制御ブロック２５、保守・運用ブロック２６、トーン・パス制御ブロック２７、データエリア３０を備える。
【００４２】
なお、図１に示す、アナログ電話インタフェース回路部１１、加入電話インタフェース回路１２、ＩＰ電話インタフェース回路１３、スイッチ１４及びトーン送出回路１８は、図２に示す各構成に対応する。
【００４３】
ＯＳブロック２１は、通信アダプタ装置１のオペレーテイングシステム部であり、各ソフトウェア・ブロック２２〜２７に対して起動要求を行うものである。
【００４４】
アナログ電話インタフェース回路制御ブロック２３は、アナログ電話インタフェース回路１１とのインタフェース部である。
【００４５】
加入電話インタフェース回路制御ブロック２４は、加入電話インタフェース回路１２とのインタフェース部である。また、加入電話インターフェース回路制御ブロック２４は、加入電話インターフェース回路１２が着信（極性反転、発信元ダイヤル情報、呼出信号）を検出した場合に、着信通知を呼制御ブロック２２に通知するものである。
【００４６】
ＩＰ電話インタフェース回路制御ブロック２５は、ＩＰ電話インタフェース回路１３とのインタフェース部である。
【００４７】
呼制御ブロック２２は、アナログ電話機２と、公衆アナログ電話網３及び公衆ＩＰ電話網４との間における、発信／着信などを複数の状態に分離し管理するものである。また、呼制御ブロック２２は、各ソフトウェア・ブロック２２〜２７とメッセージ通知などのやり取りを行うものである。さらに、呼制御ブロック２２は、アナログ電話機２の通話状態の監視を実行するものである。
【００４８】
また、呼制御ブロック２２は、アナログ電話機２からの要求に応じて、着信した発信元ダイヤル情報の内容に応じて、異なるパターンのトーン信号を送出できるように、発信元ダイヤル情報とトーンパターンとを対応付けて設定登録させるものである。
【００４９】
つまり、呼制御ブロック２２は、アナログ電話機２から登録要求を受けると、トーンパターンの設定登録通知を保守・運用ブロック２６に通知し、保守・運用ブロック２６がトーンパターンの設定登録モードになると、アナログ電話機２から指示されたダイヤル情報を、トーン・パス制御ブロック２７に与えて、その指示されたダイヤル情報とトーンパターンとの対応付けをさせるものである。
【００５０】
保守・運用ブロック２６は、通信アダプタ装置１の運用状態を管理・変更するものである。また、保守・運用ブロック２６は、呼制御ブロック２２は、呼制御ブロック２２からトーンパターンの設定登録通知を受けると、トーンパターンの設定登録モードになり、登録ダイヤル情報とトーンパターンとの対応関係を保守する。
【００５１】
トーン・パス制御ブロック２７は、トーンパターンの設定登録の際に、呼制御ブロック２２から受け取ったダイヤル情報を、そのダイヤル情報と指定されたトーンパターンとを対応付けて設定するものである。
【００５２】
このように、アナログ電話機２から登録要求に応じて、通話者が希望する登録ダイヤル情報に対して特定のトーンパターンを対応付けて設定することにより、設定されているダイヤル情報から発信がある場合に、対応付けたトーンパターンのトーン信号をアナログ電話機２に送出させることができる。
【００５３】
また、トーン・パス制御ブロック２７は、トーン送出回路１８及びスイッチ１４を制御して、アナログ電話インタフェース回路１１に対するトーン抽出や通話パスを管理するものである。
【００５４】
すなわち、トーン・パス制御ブロック２７は、ＩＰ通話中に発信元ダイヤル情報が着信した場合、加入電話インターフェース回路１２により蓄積された発信元ダイヤル情報を取り出し、その発信元ダイヤル情報が登録ダイヤル情報であるか否かの検索を実行するものである。
【００５５】
また、トーン・パス制御ブロック２７は、検索により、登録ダイヤル情報を見つけ出した場合、その登録ダイヤル情報に対応付けられたトーンパターンをデータエリア３０のトーンパターン３３から、例えば１００ｍｓ毎に１ビットずつ抽出して、その抽出したトーン信号をトーン送出回路１８から送出させるものである。
【００５６】
データエリア３０は、通信アダプタ装置１の制御に使用する必要なデータを記憶するメモリ１６のメモリエリアであり、図１に示すように、トーンパターン３３、発信元ダイヤル情報３２、発信元ダイヤル３４を有する。
【００５７】
トーンパターン３３は、予め指定された複数のトーンパターンを記憶するものである。トーンパターン３３が記憶するトーンパターンは、例えば、図４に示すように、可変のデータエリア（メモリエリア）３０ビットに対して、右側から順に、１ビットずつ割り付けて記憶される。ここで、トーン信号の１ビットは１００ｍｓ間隔のトーンを示し、「０」はトーン停止を示し、「１」はトーン送出を示す。
【００５８】
また、トーンパターン３３は、６面（６種類）のトーンパターンが記憶されており、そのうち最終面のパターンは、デフォルトパターンとして記憶する。なお、このデフォルトパターンは、登録ダイヤル情報以外の発信元ダイヤル情報の着信があった場合に送出するパターンとして記憶される。
【００５９】
登録ダイヤル情報３４は、トーンパターンの設定登録際に、トーン・パス制御ブロック２７により登録されたダイヤル情報を記憶するものである。
【００６０】
発信元ダイヤル情報３２は、加入電話インターフェース回路１２が検出した発信元ダイヤル情報を記憶するものである。
【００６１】
登録ダイヤル情報３４及び発信元ダイヤル情報３２は、データエリア１６バイトに対し４ビット単位で上側から及び右側から順に、ダイヤル情報を１桁ずつ格納する。また、ダイヤル情報１〜９を１〜９として格納し、ダイヤル情報０をＡとして格納し、アナログ電話機が使用されていない状態に公衆アナログ電話網から着信した場合のナンバーディスプレイ表示用に使用する。
【００６２】
（Ａ−２）実施形態の動作
次に、本実施形態の通信アダプタ装置１の動作について図面を参照して詳細に説明する。
【００６３】
以下では、まず、（１）アナログ電話機２による公衆ＩＰ通信電話網４に対する発信動作、（２）公衆ＩＰ電話網４からアナログ電話機２に対する着信動作について説明した後に、（３）トーンパターンの設定登録動作、（４）アナログ電話機２のＩＰ通話中に発信元ダイヤル情報の着信動作について説明する。
【００６４】
（Ａ−２−１）アナログ電話機２による公衆ＩＰ通信電話網４に対する発信動作
図１及び図３において、アナログ電話インターフェース回路１１は、アナログ電話機２の状態を定期的に又は常時監視している。
【００６５】
アナログ電話インターフェース回路１１により、アナログ電話機２からのループ接続、切断、ダイヤル情報が検出されると、そのダイヤル情報が、アナログ電話インターフェース回路１１から、アナログ電話インターフェース回線制御ブロック２３を介して呼制御ブロック２２に与えられる。
【００６６】
呼制御ブロック２２にダイヤル情報が通知されると、呼制御ブロック２２により所定の呼制御がなされ、ＩＰ電話インターフェース回線制御ブロック２５によりＩＰ電話インターフェース回路１３が所定の通信制御がなされて、公衆ＩＰ電話網に対して発信通知が行われる。
【００６７】
そして、公衆ＩＰ電話網４側の通信相手先が応答した場合、公衆ＩＰ電話網４から応答信号が、ＩＰ電話インターフェース回路１４及びＩＰ電話インターフェース回線制御ブロック２５を介して、呼制御ブロック２２に通知される。
【００６８】
これにより、トーン・パス制御ブロック２７によりスイッチ１４が切り替えられ、スイッチ１４が公衆ＩＰ電話網４側の通話パスが接続されて通話が可能となる。
【００６９】
（Ａ−２−２）公衆ＩＰ電話網４からアナログ電話機２に対する着信動作
図１及び図３において、ＩＰ電話インターフェース回路１３は、公衆ＩＰ電話網４を監視している。
【００７０】
ＩＰ電話インターフェース回路１３により、公衆ＩＰ電話網４からの着信が検出されると、着信検出情報が、ＩＰ電話インタフェース回路制御ブロック２５を介して、呼制御ブロック２２に通知される。
【００７１】
呼制御ブロック２２に着信検出情報が通知されると、呼制御ブロック２２により着信検出情報が分析され所定の呼制御なされ、着信情報がアナログ電話インターフェース回線制御ブロック２３に通知される。
【００７２】
そして、アナログ電話インターフェース回線制御ブロック２３によりアナログ電話インターフェース回路１１が所定の通信制御がなされて、呼出信号が、アナログ電話機２に送出され着信を知らせる。
【００７３】
呼出信号がアナログ電話機２の送出されると、アナログ電話機２はリングを鳴動し、アナログ電話機２がオフフック（ループ接続）することで、アナログ電話インターフェース回路１１及びアナログ電話インターフェース回線制御ブロック２３を介して、呼制御ブロック２２に通知される。
【００７４】
これにより、トーン・パス制御ブロック２７によりスイッチ１４が切り替えられ、スイッチ１４が公衆網ＩＰ電話網４側の通話パスが接続されて通話が可能となる。
【００７５】
（Ａ−２−３）トーンパターンの設定登録動作
次に、通信アダプタ装置１によるトーンパターンの設定登録動作について図１及び図５を参照して説明する。図５は、トーンパターンの設定登録動作のフローチャートである。
【００７６】
アナログ電話機２からトーンパターンの登録要求が通信アダプタ装置１に与えられると（Ｓ１０）、設定登録要求があった旨を示す設定登録通知が、呼制御ブロック２２から保守・運用ブロック２６に通知される（Ｓ１１）。
【００７７】
呼制御ブロック２２から設定登録通知が保守・運用ブロック２６に与えられると、保守・運用ブロック２６においてトーンパターンの設定登録モードになり、設定登録を許容し、所定の登録処理がなされる（Ｓ１２）。
【００７８】
例えば、利用者の操作により、希望するダイヤル情報の入力がなされ、アナログ電話機２が取り込んだダイヤル情報を通信アダプタ装置１に与える。ここで、ダイヤル情報は、対応可能なトーンパターンの数に応じた分の複数のダイヤル情報を取り込むことができる。なお、本実施形態では５個の登録を可能とする。
【００７９】
アナログ電話機２からダイヤル情報が通信アダプタ装置１に与えられると、入力されたダイヤル情報が呼制御ブロック２２からトーン・パス制御ブロック２７に与えられ、トーンパターンの設定登録指示が通知される（Ｓ１３）。
【００８０】
呼制御ブロック２２からトーンパターンの設定登録指示がなされると、トーン・パス制御ブロック２７により、受け取ったダイヤル情報が、データエリア３０の登録ダイヤル情報に登録される（Ｓ１４）。
【００８１】
このとき、予め指定されたトーンパターンと登録ダイヤル情報とはそれぞれ対応付けられる。この対応付けは、例えば、予め記憶順序が決まっているトーンパターンに対して、ダイヤル情報の入力順で対応付けしてもよいし、又はアナログ電話機２の利用者の意思に応じて、選択されたトーンパターンとダイヤル情報とを対応付けできるようにしてもよい。
【００８２】
このように、登録ダイヤル情報とトーンパターンとを対応付けて設定することにより、設定されているダイヤル情報から発信があると、それに対応するトーンパターンのトーン信号がアナログ電話機２に送出させる。
【００８３】
（Ａ−２−４）アナログ電話機２のＩＰ通話中に発信元ダイヤル情報の着信動作
続いて、通信アダプタ装置１による、アナログ電話機２のＩＰ通話中に発信元ダイヤル情報の着信動作について、図面を参照して説明する。図６は、通信アダプタ装置１の動作を示すフローチャートである。
【００８４】
加入電話インターフェース回路１２は、公衆アナログ電話網３を定期的に又は常時監視している（Ｓ２０）。なお、公衆アナログ電話網３から着信が検出されない場合は、引き続き監視される。
【００８５】
加入電話インターフェース回路１２により公衆アナログ電話網３から着信状態が検出されると、着信検出情報が、加入電話インタフェース回線制御ブロック２４を介して、呼制御ブロック２２に通知される（Ｓ２１）。
【００８６】
このとき、加入電話インターフェース回路１２が検出した発信元ダイヤル情報は、加入電話インターフェース回路１２により、データエリア３０の発信元ダイヤル情報３２に蓄積される（Ｓ２２）
また、着信検出情報が呼制御ブロック２２に与えられると、呼制御ブロック２２によりアナログ電話機２の通話状態が判定され（Ｓ２３）、アナログ電話機２がＩＰ通話状態でないと判定した場合、呼制御ブロック２２により所定の呼制御がなされて、スイッチ１４が切り替えられる（Ｓ２４）。
【００８７】
一方、アナログ電話機２が通話状態であると判定した場合（Ｓ２３）、呼制御ブロック２２からトーン・パス制御ブロック２７に対して発信元ダイヤル情報に基づいてトーン送出指示がなされる。
【００８８】
呼制御ブロック２２からトーン送出指示がトーン・パス制御ブロック２７に与えられると、トーン・パス制御ブロック２７により、発信元ダイヤル情報３２に蓄積されている発信元ダイヤル情報と、登録ダイヤル情報３４に登録されている登録ダイヤル情報との照合により、登録ダイヤル情報の検索がなされる（Ｓ２５）。
【００８９】
トーン・パス制御ブロック２７により、発信元ダイヤル情報と同一の登録ダイヤル情報が検索されると、その登録ダイヤル情報に対応するトーンパターンがトーンパターン３３から抽出される（Ｓ２６）。
【００９０】
一方、トーン・パス制御ブロック２７により、発信元ダイヤル情報と同一の登録ダイヤル情報が検索できなかった場合、デフォルトパターンとして記憶されているトーンパターンがトーンパターン３３から抽出される（Ｓ２７）。
【００９１】
トーン・パス制御ブロック２７によりトーンパターンが抽出されると、抽出されたトーン信号が、トーン送出回路１８に与えられ、トーン送出回路１８からトーン信号がアナログ電話機２に送出される。
【００９２】
図４は、トーン・パス制御ブロック２７から抽出されたトーンパターンと、送出するトーン信号との関係を示す。
【００９３】
図４に示すように、トーンパターン３３に記憶されているトーンパターンは、トーン・パス制御ブロック２７により、登録位置の一番上側（第１行目）から下側（第４行目）に、かつ、右側から左側方向に順に、例えば１００ｍｓ毎に１ビットずつ抽出され（図４（Ａ））、トーン送出回路１８により、抽出された順にトーン信号を送出する（図４（Ｂ））。また、第４行目まで抽出してトーン信号が送出されると、再度第１行目に戻り繰り返しトーン信号が送出される。
【００９４】
次に、通信アダプタ装置１を介した、アナログ電話機１と各電話網３及び４との接続シーケンスについて図７を参照して説明する。
【００９５】
図７において、公衆アナログ電話網３から極性反転（Ｓ３０）及び情報受信端末起動信号（Ｓ３１）が通信アダプタ装置１に与えられると、これに対する一次応答信号が、通信アダプタ装置１から公衆アナログ電話網３に返信される（Ｓ３２）。
【００９６】
通信アダプタ装置１から一次応答信号が公衆アナログ電話網３に与えられると、発信元ダイヤル情報がモデム信号として公衆アナログ電話網３から通信アダプタ装置１に送信される（Ｓ３３）。
【００９７】
公衆アナログ電話網３から発信元ダイヤル情報が通信アダプタ装置１に与えられると、受信した発信元ダイヤル情報が蓄積される（Ｓ２２）。
【００９８】
また、通信アダプタ装置１において、発信元ダイヤル情報が蓄積されると、受信完了信号を公衆アナログ電話網３に返信される（Ｓ３４）。
【００９９】
公衆アナログ電話網３から呼出信号が通信アダプタ装置１に与えられ（Ｓ３５）、また、通信アダプタ装置１において、上述した発信元ダイヤル情報に基づいて登録ダイヤル情報の検索処理及びトーンパターンの抽出処理（Ｓ２５〜Ｓ２７）がなされ、抽出されたトーン信号がアナログ電話機２の送出される（Ｓ２８）。
【０１００】
このとき、アナログ電話機２の通話者は、送出されてきたトーンパターンに基づいて、誰から発信されてきたかを認識することができる。従って、その発信元の認識に応じて、通話を切り替えようとする場合、所定の操作（例えばフッキング操作）がなされる。
【０１０１】
アナログ電話機２において、フッキング操作がなされると（Ｓ３６）、通信アダプタ装置１は、フッキングを検出し、応答信号を公衆アナログ電話網３に送出する（Ｓ３７）。
【０１０２】
その後、Ｌ１、Ｌ２極性が復極し（Ｓ３８）、アナログ電話機２と公衆アナログ電話網３との間で通話が行われる（Ｓ３９）。
【０１０３】
（Ａ−３）実施形態の効果
以上、実施形態によれば、トーンパターンと登録ダイヤル情報とを対応付けて記憶することで、着信した発信元ダイヤル情報を登録ダイヤル情報から検索し、その登録ダイヤル情報に対応するトーンパターンのトーン信号をアナログ電話機２に送出できるから、通話者によるトーン聴取により誰からの発信であるかを認識させることができる。
【０１０４】
（Ｂ）他の実施形態
本発明の異種網通信装置は、異なる複数の通信網回線に接続可能であり、収容するアナログ電話機との間に介在する異種網通信装置であれば広く適用できる。従って、アナログ電話機への搭載や、交換機への搭載などもなしうる。
【０１０５】
また、上述した実施形態では、ナンバーディスプレイサービス適用した場合について説明したが、例えば、キャッチホン・ディスプレイサービスや、Ｌモード（登録商標）サービスなど、公衆アナログ電話網３との所定接続シーケンス制御の下、公衆アナログ電話網３から情報を受信し、アナログ電話機２に提供するサービスに広く適用可能である。
【０１０６】
また、図６で示すトーン送出に係る通信アダプタ装置１の動作はこれに限定されない。例えば、図６では、公衆アナログ電話網３からの着信後、アナログ電話機２の通話状態を判定して、トーン送出動作モードに切り替えることとしているが、アナログ電話機２がＩＰ通話中である場合に、トーン送出動作モードに切り替えておいてもよい。
【０１０７】
また、予め設定するトーンパターンの種類は限定されない。従って、通話者の意思に応じて、そのパターンを設定・変更することができるようにしてもよい。
【０１０８】
さらに、一度登録した登録ダイヤル情報について削除・変更することができる。従って、例えば、あるトーンパターンと対応付けた登録ダイヤル情報を削除し、他の新しい登録ダイヤル情報を設定できるようにしてもよい。
【図面の簡単な説明】
【０１０９】
【図１】実施形態に係る通信アダプタ装置が実現するソフトウェア・ブロック図である。
【図２】従来の通信アダプタ装置が実現するソフトウェア・ブロック図である。
【図３】実施形態に係る通信アダプタ装置の内部構成を示すハードウェア・ブロック図である。
【図４】トーンパターンと送出するトーン信号との関係を説明する説明図である。
【図５】実施形態に係る通信アダプタ装置によるトーンパターン設定登録動作を示すフローチャートである。
【図６】実施形態に係る通信アダプタ装置によるトーン信号送出動作を示すフローチャートである。
【図７】実施形態に係る通信アダプタ装置を介した接続シーケンス図である。
【符号の説明】
【０１１０】
１…通信アダプタ装置、２…アナログ電話機、３…公衆アナログ電話網、
４…公衆ＩＰ電話網、１２…加入電話インナーフェース回路、
１５…中央処理演算装置、１６…メモリ、２１…ＯＳブロック、
２２…呼制御ブロック、２６…保守・運用ブロック、
２７…トーン・パス制御ブロック、３０…データエリア、
３２…発信元ダイヤル情報、３３…トーンパターン、３４…登録ダイヤル情報。
【図１】
2005277455.tif 000003
【図２】
2005277455.tif 000004
【図３】
2005277455.tif 000005
【図４】
2005277455.tif 000006
【図５】
2005277455.tif 000007
【図６】
2005277455.tif 000008
【図７】
2005277455.tif 000009